【事件の表示】
　特願２０１５−４２２５号「遊技機」拒絶査定不服審判事件〔平成２８年７月２１日出願公開、特開２０１６−１２９５５９号〕について、次のとおり審決する。
【結　論】
　本件審判の請求は、成り立たない。
【理　由】
第１　手続の経緯 
　本願は、平成２７年１月１３日の出願であって、平成２８年１２月６日付けで拒絶の理由が通知され、平成２９年２月１０日に意見書及び手続補正書が提出されたところ、平成２９年４月１３日付け（発送日：平成２９年４月１８日）で拒絶査定がなされ、それに対して、平成２９年７月１４日に拒絶査定不服審判の請求がなされると同時に手続補正がなされ、前置審査において平成２９年８月３０日付けで最後の拒絶の理由が通知され、平成２９年１１月２日に意見書及び手続補正書が提出されたものである。
第２　平成２９年１１月２日付け手続補正についての補正の却下の決定 
［補正の却下の決定の結論］ 
　平成２９年１１月２日付け手続補正（以下「本件補正」という。）を却下する。 
［理由］ 
１．本件補正について 
　本件補正は、特許請求の範囲の補正を含んでおり、本件補正により、審判請求時に提出された平成２９年７月１４日付けの手続補正書における特許請求の範囲の請求項１の記載
「【請求項１】
　可変表示を行い表示結果を導出表示する可変表示手段を備え、該可変表示手段に導出表示された表示結果にもとづいて、遊技者にとって有利な有利状態に制御可能な遊技機であって、
　遊技者が操作可能な操作手段と、
　遊技者の操作を促す促進画像を表示させる促進画像表示制御手段と、
　前記有利状態に制御するか否かと、前記有利状態の種別を決定する決定手段と、
　前記決定手段により第１有利状態に決定された場合には、前記有利状態として前記第１有利状態に制御した後に前記有利状態に制御される確率が向上する高確率状態に制御可能であり、前記決定手段により第２有利状態に決定された場合には、前記有利状態として遊技者が獲得可能な遊技価値の大きさが前記第１有利状態とは異なる前記第２有利状態に制御した後に前記高確率状態に制御可能であり、前記決定手段により第３有利状態に決定された場合には、前記有利状態として遊技者が獲得可能な遊技価値の大きさが前記第２有利状態と同等である前記第３有利状態に制御した後に前記有利状態に制御される確率が向上しない低確率状態に制御する遊技状態制御手段と、
　前記決定手段により前記第１有利状態に決定された場合に特定演出を実行するとともに、前記決定手段により前記第２有利状態に決定された場合と前記第３有利状態に決定された場合とにおいて共通の演出を実行する演出実行手段とを備え、
　前記促進画像表示制御手段は、所定の事前画像を経て前記促進画像を表示させ、
　前記可変表示手段には、前記有利状態の種別に応じた表示結果が導出表示され、
　前記可変表示手段に導出表示される前記第１有利状態に対応する表示結果の数は、前記可変表示手段に導出表示される前記第２有利状態に対応する表示結果の数、および前記可変表示手段に導出表示される前記第３有利状態に対応する表示結果の数よりも少なく、
　前記促進画像表示制御手段は、遊技者の操作の検出を有効とする有効期間が開始されるより前に、前記操作手段を模した前記所定の事前画像を、前記促進画像よりも薄く表示させ、
　前記可変表示手段は、複数の発光部材が組み合わされて構成されており、
　前記決定手段により前記第２有利状態に決定された場合と、前記決定手段により前記第３有利状態に決定された場合とで、前記複数の発光部材のうち少なくとも一部の発光部材が共通の発光態様にて発光される
　ことを特徴とする遊技機。」
は、平成２９年１１月２日付け手続補正書における 
「【請求項１】
Ａ　可変表示を行い表示結果を導出表示する可変表示手段を備え、該可変表示手段に導出表示された表示結果にもとづいて、遊技者にとって有利な有利状態に制御可能な遊技機であって、
Ｂ　遊技者が操作可能な操作手段と、
Ｃ　遊技者の操作を促す促進画像を表示させる促進画像表示制御手段と、
Ｄ　前記有利状態に制御するか否かと、前記有利状態の種別を決定する決定手段と、
Ｅ　前記決定手段により第１有利状態に決定された場合には、前記有利状態として前記第１有利状態に制御した後に前記有利状態に制御される確率が向上する高確率状態に制御可能であり、
Ｆ　前記決定手段により第２有利状態に決定された場合には、前記有利状態として遊技者が獲得可能な遊技価値の大きさが前記第１有利状態とは異なる前記第２有利状態に制御した後に前記高確率状態に制御可能であり、
Ｇ　前記決定手段により第３有利状態に決定された場合には、前記有利状態として遊技者が獲得可能な遊技価値の大きさが前記第２有利状態と同等である前記第３有利状態に制御した後に前記有利状態に制御される確率が向上しない低確率状態に制御する遊技状態制御手段と、
Ｈ　前記決定手段により前記第１有利状態に決定された場合に特定演出を実行するとともに、
Ｉ　前記決定手段により前記第２有利状態に決定された場合と前記第３有利状態に決定された場合とにおいて共通の演出を実行する演出実行手段とを備え、
Ｊ　前記促進画像表示制御手段は、所定の事前画像を経て前記促進画像を表示させ、
Ｋ　前記可変表示手段には、前記有利状態の種別に応じた表示結果が導出表示され、
Ｌ　前記可変表示手段に導出表示される前記第１有利状態に対応する表示結果の数は、前記可変表示手段に導出表示される前記第２有利状態に対応する表示結果の数、および前記可変表示手段に導出表示される前記第３有利状態に対応する表示結果の数よりも少なく、
Ｍ　前記促進画像表示制御手段は、遊技者の操作の検出を有効とする有効期間が開始されるより前に、前記操作手段を模した前記所定の事前画像を、前記促進画像よりも薄く表示
させた後に徐々に濃くなるよう変化させ
Ｎ　前記可変表示手段は、複数の発光部材が組み合わされて構成されており、
Ｏ　前記決定手段により前記第２有利状態に決定された場合と、前記決定手段により前記第３有利状態に決定された場合とで、前記複数の発光部材のうち少なくとも一部の発光部材が共通の発光態様にて発光され
、
Ｐ　
前記決定手段により前記第２有利状態に決定された場合に発光される発光部材の組み合わせである第１パターンおよび第２パターンと、前記決定手段により前記第３有利状態に決定された場合に発光される発光部材の組み合わせである第３パターンおよび第４パターンとのうち、前記第１パターンおよび前記第３パターンにて発光態様が共通しない発光部材と、前記第２パターンおよび前記第４パターンにて発光態様が共通しない発光部材とが同じ発光部材であ
Ｑ　ことを特徴とする遊技機。」
に補正された（下線は、補正箇所を明示するために当審にて付した。また、Ａ〜Ｑは分説のため当審にて付与した。以下「構成Ａ」などという。）。
２．補正の適否 
（１）本件補正 
　本件補正は、特許請求の範囲について、以下に挙げる補正事項を含むものである。 
ア　本件補正前の請求項１に記載された発明特定事項である、促進画像表示制御手段が、遊技者の操作の検出を有効とする有効期間が開始されるより前に、前記操作手段を模した前記所定の事前画像を表示する際の表示形態に関し、本件補正前においては単に「促進画像よりも薄く表示」と特定していたものを、「促進画像よりも薄く表示させた後に徐々に濃くなるよう変化させ」ると変更する補正。（以下「補正事項ア」という。）
イ　本件補正前の請求項１に記載された発明特定事項である、第２有利状態に決定された場合と第３有利状態に決定された場合とにおける複数の発光部材の発光態様について、本件補正前においては単に上記構成Ｏに係る「複数の発光部材のうち少なくとも一部の発光部材が共通の発光態様にて発光」する点のみ特定していたものに加え、上記構成Ｐに係る、前記両場合において共通しない発光部材の関係についてもさらに限定するとともに、これに伴って前記構成Ｏの末尾の平仄を整える補正。（以下「補正事項イ」という。）
（２）補正の適否について
　上記補正事項アは、上記本件補正前の請求項１に記載された発明特定事項である「表示形態」について特定事項を追加するものであるから、当該「表示形態」について限定するものである。
　また、上記補正事項イは、上記本件補正前の請求項１に記載された発明特定事項である「発光態様」について、特定事項を追加するものであるから、当該「発光態様」について限定するものである。
　そして、上記補正事項アについては願書に最初に添付した明細書（以下「当初明細書」という。）の【０３１７】に、上記補正事項イについては当初明細書の【０１５２】及び図１１に、それぞれ根拠となる記載があるから、当該各限定は、当初明細書及び図面に記載された事項の範囲内においてしたものである。
　また、本件補正前の特許請求の範囲の請求項１に記載された発明と本件補正後の特許請求の範囲の請求項１に記載される発明の産業上の利用分野及び解決しようとする課題が同一である。 
　よって、本件補正は、特許法第１７条の２第５項第２号に掲げる特許請求の範囲の減縮を目的とするものに該当し、新規事項を追加するものでもない。
　そこで、本件補正後の特許請求の範囲の請求項１に係る発明は、その請求項１に記載された事項により特定されるものと認められるところ、その請求項１に係る発明（以下「本件補正発明」という。）が特許出願の際独立して特許を受けることができるものであるか（特許法第１７条の２第６項において準用する同法第１２６条第７項の規定に適合するか）について以下に検討する。 
３．本件補正発明の独立特許要件についての検討 
（１）本件補正発明について 
　本件補正発明は、平成２９年１１月２日付け手続補正書における請求項１の記載として上記１．に示したとおりのものである。 
（２）刊行物１に記載された発明 
　本願の出願日前に頒布され、上記前置審査における最後の拒絶理由通知で引用された刊行物である特開２０１３−１０２８７３号公報（以下「刊行物１」という。）には、図面と共に次の事項が記載されている（下線は当審にて付した。以下同じ。）。 
ア　刊行物１の明細書には次の事項が記載されている。 
「【００１６】
　［第１の実施形態］　以下、本発明を
パチンコ遊技機に具体化した第１の実施形態
・・・
【００１８】
　また、演出表示装置１１の左下には、
複数個（本実施形態では７個）の第１特図発光部を有する第１特別図柄表示装置１２ａが
配設されている。第１特別図柄表示装置１２ａ
では、特別図柄（以下、「特図」と示す）を変動させて表示する変動ゲームが行われる。
【００１９】
　本実施形態において
各表示装置１２ａ
には、複数種類（本実施形態では、１０５種類）の特図の中から、大当り抽選の抽選結果又は小当り抽選の抽選結果に対応する１つの特図が選択され、その選択された特図が変動ゲームの終了によって個別に確定停止表示される。
大当り図柄が確定停止表示された場合、遊技者には、大当り遊技が付与される。
【００２０】
　また、本実施形態において
演出表示装置１１には、複数の図柄列毎に［１］〜［７］の７種類の数字が飾図として表示される
【００２１】
　そして、演出表示装置１１には、各表示装置１２ａ，１２ｂの表示結果に応じた表示結果が表示される。具体的に言えば、
第１特別図柄表示装置１２ａ
に大当り図柄（大当り表示結果）が確定停止表示される場合には、原則として、演出表示装置１１にも大当り図柄（大当り表示結果）が確定停止表示される。本実施形態において、飾図による大当り図柄としては、全列の図柄が同一図柄となる図柄組み合わせである（例えば、［２２２］［７７７］など）。
「【００４０】
　また、
パチンコ遊技機の遊技盤１０の下方には、遊技者により操作可能な演出ボタン７０が配設されている。
【００４１】
　次に、本実施形態のパチンコ遊技機に規定する大当り遊技について図２を参照して以下に説明する。
　本実施形態のパチンコ遊技機では、大当り抽選に当選した場合、図２に示す１０種類の大当りの中から１つの大当りが決定され、その決定された大当りに対応する大当り遊技が付与されるようになっている。そして、
１０種類の大当りのうち、何れの大当りが付与されるかは、大当り抽選に当選した場合に決定する特図（大当り図柄）に応じて決定される
表示装置１２ａ
に確定停止表示される１００種類の特図の大当り図柄は、図２に示すように、特図毎に分類される
図中においては、第１特別図柄表示装置１２ａに確定停止表示される図柄を「特図１」
と示す
【００４２】
　そして、
第１特別図柄表示装置１２ａに確定停止表示される大当り図柄のうち、図柄Ａには１０種類の大当り図柄が振分けられている
図柄Ｅには１４種類の大当り図柄が、図柄Ｆには１３種類の大当り図柄が
それぞれ振分けられている
図柄Ｉには１１種類の大当り図柄が、図柄Ｊには２２種類の大当り図柄が、それぞれ振分けられている
「【００５２】
　また、
１５Ｒ確変大当り、
第１〜第３の１０Ｒ確変大当り
に当選した場合、大当り遊技の終了後には、大当り抽選の当選時における遊技状態を問わず、次回の大当り遊技が付与されるまで（「次回まで」と示す）確変状態が付与されるようになっている。
第１〜第３の１０Ｒ非確変大当りに当選した場合、大当り遊技の終了後には、
確変状態が付与されないようになっている。
「【００９５】
　次に、パチンコ遊技機の制御構成について図５を参照して説明する。
　本実施形態のパチンコ遊技機の機裏側には、パチンコ遊技機全体を制御する主制御基板３０が配設されている。主制御手段としての主制御基板３０は、パチンコ遊技機全体を制御するための各種処理を実行するとともに、該処理結果に応じた各種の制御信号（制御コマンド）を出力する。また、機裏側には、統括制御基板３１と表示制御基板３２とが配設されている。演出制御手段としての統括制御基板３１は、主制御基板３０が出力した制御信号（制御コマンド）に基づいて、表示制御基板３２を制御する。
演出制御手段としての表示制御基板３２は、主制御基板３０と統括制御基板３１が出力した制御信号（制御コマンド）に基づいて、演出表示装置１１の表示態様
を制御する
「【００９７】
　
主制御基板３０には、制御動作を所定の手順で実行する主制御用ＣＰＵ３０ａ
が設けられている。
「【０１２２】
　この大当り判定の判定結果が肯定の場合、主制御用ＣＰＵ３０ａは、大当りとなる変動ゲームであることを示す大当りフラグに「１」を設定し、大当りとなる変動ゲームを実行させるための第１大当り時変動処理を実行する。第１大当り時変動処理において
主制御用ＣＰＵ３０ａは、
第１特別図柄表示装置１２ａに確定停止表示させる特図（最終停止図柄）として大当り図柄を決定する。続いて、主制御用ＣＰＵ３０ａは、決定した大当り図柄から大当り遊技の種類を特定し
「【０１３６】
　また、
主制御用ＣＰＵ３０ａは
確変状態
の制御を行う
　具体的には、主制御用ＣＰＵ３０ａは、大当り遊技の種類に拘わらず、大当り遊技の開始時に、確変フラグ、作動フラグ、及び作動回数をクリアする（「０」を設定する）。この作動回数は、変短状態が付与された回数を計数するためのカウンタである。」
「【０１６７】
　ここで、飾図決定テーブルについて図１１を参照して以下に説明する。
　この
飾図決定テーブルは、１５Ｒ確変大当り、実質１０Ｒ確変大当り、及び１０Ｒ大当りのうち何れかに当選するときに参照され、確定停止表示させる飾図を決定するためのテーブルであり
飾図決定テーブルには、図１１に示すように、大当りの種類と、変動パターンと、飾図と、飾図を決定するための乱数とが対応付けられている。
【０１６８】
　
大当りの種類は、主制御基板３０からの特図指定コマンドにより特定可能である。この大当りの種類としては、１５Ｒ確変大当り（図柄Ａ）
に分類される。更に、大当りの種類としては、
第２の１０Ｒ確変大当り（図柄Ｅ）、及び第３の１０Ｒ確変大当り（図柄Ｆ）と、
第２の１０Ｒ非確変大当り（図柄Ｉ）、及び第３の１０Ｒ非確変大当り（図柄Ｊ）と、に分類される。
【０１６９】
　また、変動パターンとしては、主制御基板３０からの変動パターン指定コマンドにより特定可能であり、非変短状態における変動パターンＰ１４と、変短状態における変動パターンＰ２４，Ｐ３４と、変短状態における変動パターンＰ４４と、に分類される場合と、変動パターンを問わない場合とがある。
【０１７０】
　
飾図としては、大当り図柄としての［１１１］［２２２］［３３３］［４４４］［５５５］［６６６］［７７７］から構成されている。なお、以下、大当り図柄を左列の飾図のみで示す。
イ　刊行物１の図面には以下の事項が記載されている。 
（ア）上記【０１６８】の記載を参酌すると、大当り時の飾図決定テーブルに関する図１１からは、１５Ｒ確変大当りに対応する図柄Ａに対し飾図「３」と「７」のいずれかが、第２・第３の１０Ｒ確変大当りに対応する図柄Ｅ、Ｆに対しては飾図「１」、「２」、「４」、「５」、「６」のいずれかが、第１〜第３の１０Ｒ非確変大当りに対応する図柄Ｈ〜Ｊに対しては飾図「１」、「２」、「４」、「５」、「６」のいずれかが、それぞれ割り当てられることを読み取ることができる。
ウ　上記アの各記載事項及び上記イで認定した図面の記載事項から、以下の事項が導かれる。 
（ア）上記【００１８】には「複数個（本実施形態では７個）の第１特図発光部を有する第１特別図柄表示装置１２ａが・・・配設されている。第１特別図柄表示装置１２ａ・・・では、特別図柄（以下、「特図」と示す）を変動させて表示する変動ゲームが行われる。」と記載され、【００１９】には「各表示装置１２ａ・・・には、複数種類（本実施形態では、１０５種類）の特図の中から、大当り抽選の抽選結果又は小当り抽選の抽選結果に対応する１つの特図が選択され、その選択された特図が変動ゲームの終了によって個別に確定停止表示される。・・・大当り図柄が確定停止表示された場合、遊技者には、大当り遊技が付与される。」と記載されている。
　また、上記【００１６】には、前記【００１８】〜【００１９】の記載が「パチンコ遊技機に具体化した第１の実施形態」についてのものであることが記載されている。
　よって、刊行物１には、以下のａ．、ｂ．の事項が記載されているといえる。
ａ．「複数個（本実施形態では７個）の第１特図発光部を有する第１特別図柄表示装置１２ａが配設され、該表示装置１２ａに大当り図柄が確定停止表示された場合、遊技者には、大当り遊技が付与される、パチンコ遊技機」
ｂ．「第１特別図柄表示装置１２ａが、複数個（本実施形態では７個）の第１特図発光部からな」ること。
（イ）上記【００４０】には、「パチンコ遊技機の遊技盤１０の下方には、遊技者により操作可能な演出ボタン７０が配設されている。」との記載がある。
　よって、刊行物１には、パチンコ遊技機は「遊技者により操作可能な演出ボタン７０」を備えることが記載されているといえる。
（ウ）上記【０１２２】には「主制御用ＣＰＵ３０ａは、・・・第１特別図柄表示装置１２ａに確定停止表示させる特図（最終停止図柄）として大当り図柄を決定する。続いて、主制御用ＣＰＵ３０ａは、決定した大当り図柄から大当り遊技の種類を特定し」と記載されている。
　よって、刊行物１には「第１特別図柄表示装置１２ａに確定停止表示させる特図（最終停止図柄）として大当り図柄を決定し、決定した大当り図柄から大当り遊技の種類を特定する、主制御用ＣＰＵ３０ａ」が記載されているといえる。
（エ）ａ．上記【０１６８】には「大当りの種類は、主制御基板３０からの特図指定コマンドにより特定可能である。この大当りの種類としては、１５Ｒ確変大当り（図柄Ａ）・・・に分類される。更に、大当りの種類としては、・・・第２の１０Ｒ確変大当り（図柄Ｅ）、及び第３の１０Ｒ確変大当り（図柄Ｆ）と、・・・第２の１０Ｒ非確変大当り（図柄Ｉ）、及び第３の１０Ｒ非確変大当り（図柄Ｊ）と、に分類される。」と記載されている。
ｂ．上記【００５２】には「１５Ｒ確変大当り、・・・第１〜第３の１０Ｒ確変大当り・・・に当選した場合、大当り遊技の終了後には、大当り抽選の当選時における遊技状態を問わず、次回の大当り遊技が付与されるまで（「次回まで」と示す）確変状態が付与されるようになっている。・・・第１〜第３の１０Ｒ非確変大当りに当選した場合、大当り遊技の終了後には、・・・確変状態が付与されないようになっている。」と記載されている。
ｃ．上記【００９７】には「主制御基板３０には、制御動作を所定の手順で実行する主制御用ＣＰＵ３０ａ・・・が設けられている。」と記載されている。
ｄ．上記【０１３６】には「主制御用ＣＰＵ３０ａは・・・確変状態・・・の制御を行う」との記載があることから、前記ｂ．において「確変状態が付与」された場合には、主制御用ＣＰＵ３０ａによって確変状態に制御されることが可能であるといえる。また、逆に、「確変状態が付与」されていない場合には確変状態に制御されないことは明らかであるといえる。
ｅ．よって、刊行物１には、以下の（ａ）〜（ｃ）の各事項が記載されているといえる。
（ａ）「主制御基板３０の主制御用ＣＰＵ３０ａからの特図指定コマンドにより１５Ｒ確変大当りが特定された場合には、１５Ｒ確変大当りの大当り遊技の終了後に確変状態が付与され、次回の大当り遊技が付与されるまで確変状態に制御可能であ」る、主制御用ＣＰＵ３０ａ
（ｂ）「主制御基板３０の主制御用ＣＰＵ３０ａからの特図指定コマンドにより第２・第３の１０Ｒ確変大当りが特定された場合には、第２・第３の１０Ｒ確変大当りの大当り遊技の終了後に確変状態が付与され、次回の大当り遊技が付与されるまで確変状態に制御可能であ」る、主制御用ＣＰＵ３０ａ
（ｃ）「主制御基板３０の主制御用ＣＰＵ３０ａからの特図指定コマンドにより第２・第３の１０Ｒ非確変大当りが特定された場合には、第２・第３の１０Ｒ非確変大当りの大当り遊技の終了後に確変状態が付与されず、確変状態に制御しない、主制御用ＣＰＵ３０ａ」
（オ）ａ．上記イ（ア）で認定したとおり、大当り時の飾図決定テーブルを示す図１１からは「１５Ｒ確変大当りに対応する図柄Ａに対し飾図「３」と「７」のいずれかが、第２・第３の１０Ｒ確変大当りに対応する図柄Ｅ、Ｆに対しては飾図「１」、「２」、「４」、「５」、「６」のいずれかが、第１〜第３の１０Ｒ非確変大当りに対応する図柄Ｈ〜Ｊに対しては飾図「１」、「２」、「４」、「５」、「６」のいずれかが、それぞれ割り当てられること」を看取できる。
ｂ．ここで、上記【００２０】には「演出表示装置１１には、複数の図柄列毎に［１］〜［７］の７種類の数字が飾図として表示される」と記載され、上記【００２１】には「第１特別図柄表示装置１２ａ・・・に大当り図柄（大当り表示結果）が確定停止表示される場合には、原則として、演出表示装置１１にも大当り図柄（大当り表示結果）が確定停止表示される。本実施形態において、飾図による大当り図柄としては、全列の図柄が同一図柄となる図柄組み合わせである（例えば、［２２２］［７７７］など）。」と記載されていることと、【０１６７】に「飾図としては、大当り図柄としての［１１１］［２２２］［３３３］［４４４］［５５５］［６６６］［７７７］から構成されている。なお、以下、大当り図柄を左列の飾図のみで示す。」と記載されていることとを合わせ読むと、前記図１１の「飾図」欄の「１」〜「７」はそれぞれ、大当り図柄として演出表示装置１１に表示される［１１１］［２２２］［３３３］［４４４］［５５５］［６６６］［７７７］を左列の飾図のみで示したものであるといえる。
ｃ．よって、前記ｂ．の認定事項をふまえれば、前記ａ．に示した図１１からの看取事項は、「１５Ｒ確変大当りに対応する図柄Ａに対し飾図［３３３］と［７７７］なる大当り図柄のいずれかが、第２・第３の１０Ｒ確変大当りに対応する図柄Ｅ、Ｆに対しては飾図［１１１］、［２２２］、［４４４］、［５５５］及び［６６６］なる大当り図柄のいずれかが、第１〜第３の１０Ｒ非確変大当りに対応する図柄Ｈ〜Ｊに対しても飾図［１１１］、［２２２］、［４４４］、［５５５］及び［６６６］なる大当り図柄のいずれかが、それぞれ割り当てられること」と読み替えることができる。
ｄ．上記【０１６７】には「飾図決定テーブルは、１５Ｒ確変大当り、実質１０Ｒ確変大当り、及び１０Ｒ大当りのうち何れかに当選するときに参照され、確定停止表示させる飾図を決定するためのテーブルであり」と記載されており、大当りの種類を決定するのが「主制御用ＣＰＵ３０ａ」であることは上記（ウ）で認定したとおりである。
ｅ．上記【００９５】には「演出制御手段としての表示制御基板３２は、主制御基板３０と統括制御基板３１が出力した制御信号（制御コマンド）に基づいて、演出表示装置１１の表示態様を制御する」と記載されていることから、前記ｂ．における、大当り図柄を演出表示装置１１に表示する処理は該演出制御手段が担っているといえる。
ｆ．以上ａ．〜ｅ．より、刊行物１には、以下の（ａ）、（ｂ）の事項が記載されているといえる。
（ａ）「１５Ｒ確変大当りの場合には、演出表示装置１１に飾図［３３３］と［７７７］の何れかの大当り図柄を確定停止表示する」演出制御手段
（ｂ）「第２・第３の１０Ｒ確変大当りの場合と、第２・第３の１０Ｒ非確変大当りとの場合には、演出表示装置１１に飾図［１１１］、［２２２］、［４４４］、［５５５］及び［６６６］のいずれかの大当り図柄を確定停止表示する演出制御手段」
（カ）ａ．上記【００４１】〜【００４２】には、以下の各記載がある。
（ａ）「１０種類の大当りのうち、何れの大当りが付与されるかは、大当り抽選に当選した場合に決定する特図（大当り図柄）に応じて決定される」
（ｂ）「表示装置１２ａ・・・に確定停止表示される１００種類の特図の大当り図柄は、図２に示すように、特図毎に分類される」
（ｃ）「図中においては、第１特別図柄表示装置１２ａに確定停止表示される図柄を「特図１」・・・と示す」
（ｄ）「第１特別図柄表示装置１２ａに確定停止表示される大当り図柄のうち、図柄Ａには１０種類の大当り図柄が振分けられている」
（ｅ）「図柄Ｅには１４種類の大当り図柄が、図柄Ｆには１３種類の大当り図柄が・・・それぞれ振分けられている」
（ｆ）「図柄Ｉには１１種類の大当り図柄が、図柄Ｊには２２種類の大当り図柄が、それぞれ振分けられている」
ｂ．前記ａ．の各記載事項から、刊行物１には以下の（ａ）、（ｂ）の事項が記載されているといえる。
（ａ）「第１特別図柄表示装置１２ａには、何れの大当りが付与されるかを決定づける特図１の種類毎に分類された、大当り図柄が確定停止表示され」ること（（カ）ａ．（ａ）〜（ｃ））
（ｂ）「第１特別図柄表示装置１２ａに確定停止表示される大当り図柄のうち、１５Ｒ確変大当りに対応する図柄Ａには１０種類の大当り図柄が振分けられ、第２の１０Ｒ確変大当りに対応する図柄Ｅには１４種類の、第３の１０Ｒ確変大当りに対応する図柄Ｆに対しては１３種類の大当り図柄が振分けられ、第２の１０Ｒ非確変大当りに対応する図柄Ｉには１１種類の、第３の１０Ｒ非確変大当りに対応する図柄Ｊには２２種類の大当り図柄が振り分けられる」こと（（オ）ａ．、（カ）ａ．（ｄ）〜（ｆ））
（キ）上記認定事項（カ）ｂ．（ｂ）によれば、第１特別図柄表示装置１２ａには、図柄ごとに複数種類の大当り図柄が振分けられ、そのうち第２の１０Ｒ確変大当りに対応する図柄Ｅには１４種類の、第３の１０Ｒ確変大当りに対応する図柄Ｆに対しては１３種類の、第２の１０Ｒ非確変大当りに対応する図柄Ｉには１１種類の、第３の１０Ｒ非確変大当りに対応する図柄Ｊには２２種類の大当り図柄がそれぞれ振分けられている。このことと、上記認定事項（ア）ｂ．の「第１特別図柄表示装置１２ａが、複数個（本実施形態では７個）の第１特図発光部からな」ること、及び、複数の発光部からなる特別図柄表示装置においては、異なる大当り図柄ごとに異なった発光態様で発光部が発光することが技術常識であることから、刊行物１には「第２・第３の１０Ｒ確変大当りの場合と、第２・第３の１０Ｒ非確変大当りの場合とで、前記第１特別図柄表示装置１２ａの複数個の第１特図発光部は、前記各大当りに対応する複数の大当り図柄ごとに異なった発光態様で発光すること」及び、「第２・第３の１０Ｒ確変大当りの場合には複数種類の、第２・第３の１０Ｒ非確変大当りの場合にも複数種類の大当り図柄が振り分けられ、前記第１特別図柄表示装置１２ａの複数個の第１特図発光部は、前記各大当り図柄ごとに異なった発光態様で発光すること」が記載されているといえる。
エ　上記アの各記載事項、上記イ・ウの認定事項から、刊行物１には次の発明（以下「刊行物１発明」という。）が記載されていると認められる（ａ〜ｑは、本件補正発明のＡ〜Ｑに対応させて付与した。）。
「ａ　複数個（本実施形態では７個）の第１特図発光部を有する第１特別図柄表示装置１２ａが配設され、該表示装置１２ａに大当り図柄が確定停止表示された場合、遊技者には、大当り遊技が付与される、パチンコ遊技機であって、（ウ（ア）ａ．）
ｂ　遊技者により操作可能な演出ボタン７０と、（ウ（イ））
ｄ　第１特別図柄表示装置１２ａに確定停止表示させる特図（最終停止図柄）として大当り図柄を決定し、決定した大当り図柄から大当り遊技の種類を特定する、主制御用ＣＰＵ３０ａと、（ウ（ウ））
ｅ　主制御基板３０の主制御用ＣＰＵ３０ａからの特図指定コマンドにより１５Ｒ確変大当りが特定された場合には、大当り遊技の終了後に確変状態が付与され、次回の大当り遊技が付与されるまで確変状態に制御可能であり、（ウ（エ）ｅ．（ａ））
ｆ　主制御基板３０の主制御用ＣＰＵ３０ａからの特図指定コマンドにより第２・第３の１０Ｒ確変大当りが特定された場合には、第２・第３の１０Ｒ確変大当りの大当り遊技の終了後に確変状態が付与され、次回の大当り遊技が付与されるまで確変状態に制御可能であり、（ウ（エ）ｅ．（ｂ））
ｇ　主制御基板３０の主制御用ＣＰＵ３０ａからの特図指定コマンドにより第２・第３の１０Ｒ非確変大当りが特定された場合には、第２・第３の１０Ｒ非確変大当りの大当り遊技の終了後に確変状態が付与されず、確変状態に制御しない、主制御用ＣＰＵ３０ａと、（ウ（エ）ｅ．（ｃ））
ｈ　１５Ｒ確変大当りの場合には、演出表示装置１１に飾図［３３３］と［７７７］の何れかの大当り図柄を確定停止表示するとともに、（ウ（オ）ｆ．（ａ））
ｉ　第２・第３の１０Ｒ確変大当りの場合と、第２・第３の１０Ｒ非確変大当りとの場合には、演出表示装置１１に飾図［１１１］、［２２２］、［４４４］、［５５５］及び［６６６］のいずれかの大当り図柄を確定停止表示する、演出制御手段とを備え、（ウ（オ）ｆ．（ｂ））
ｋ　第１特別図柄表示装置１２ａには、何れの大当りが付与されるかを決定づける特図１の種類毎に分類された、大当り図柄が確定停止表示され、（ウ（カ）ｂ．（ａ））
ｌ　第１特別図柄表示装置１２ａに確定停止表示される大当り図柄のうち、１５Ｒ確変大当りに対応する図柄Ａには１０種類の大当り図柄が振分けられ、第２の１０Ｒ確変大当りに対応する図柄Ｅには１４種類の、第３の１０Ｒ確変大当りに対応する図柄Ｆに対しては１３種類の大当り図柄が振分けられ、第２の１０Ｒ非確変大当りに対応する図柄Ｉには１１種類の、第３の１０Ｒ非確変大当りに対応する図柄Ｊには２２種類の大当り図柄が振り分けられ、（ウ（カ）ｂ．（ｂ））
ｎ　第１特別図柄表示装置１２ａが、複数個（本実施形態では７個）の第１特図発光部からなり、（ウ（ア）ｂ．）
ｏ　第２・第３の１０Ｒ確変大当りの場合と、第２・第３の１０Ｒ非確変大当りの場合とで、前記第１特別図柄表示装置１２ａの複数個の第１特図発光部は、前記各大当りに対応する複数の大当り図柄ごとに異なった発光態様で発光し、（ウ（キ））
ｐ　第２・第３の１０Ｒ確変大当りの場合には複数種類の、第２・第３の１０Ｒ非確変大当りの場合にも複数種類の大当り図柄が振り分けられ、前記第１特別図柄表示装置１２ａの複数個の第１特図発光部は、前記各大当り図柄ごとに異なった発光態様で発光する、（ウ（キ））
ｑ　パチンコ遊技機。（ウ（ア）ａ．）」
（３）刊行物２に記載された技術事項
　本願の出願日前に頒布され、上記前置審査における最後の拒絶理由通知で引用された刊行物である特開２０１３−２４８０４０号公報（以下「刊行物２」という。）には、図面と共に次の事項が記載されている（下線は当審にて付した。以下同じ。）。 
ア　刊行物２の明細書には次の事項が記載されている。 
「【００５２】
　図３に示すように、本実施形態のパチンコ遊技機１０では、大当り抽選に当選した場合、３種類の大当りの中から１つの大当りが決定される。そして、決定された大当りの種類に対応付けられた開放態様で大入賞口２３が開放制御されることにより大当り遊技が付与される。それとともに、大当り遊技終了後は、決定された大当りの種類に対応付けられた制御期間を上限に、変短状態とされる。そして、
３種類の大当りのうち何れの種類が決定されるかは、大当り抽選に当選した場合に決定する特図（大当り図柄）の種類に応じて決定される
【００５３】
　そして、
第１特図表示装置１２に確定停止表示される大当り図柄のうち、図柄Ａには１０種類の大当り図柄が、図柄Ｂには１２種類の大当り図柄が、図柄Ｃには８種類の大当り図柄が、それぞれ振り分けられている
【００５４】
　図３に示すように、図柄Ａに分類される大当り図柄が第１特図表示装置１２に確定停止表示されたとき、又は図柄ａに分類される大当り図柄が第２特図表示装置１３に確定停止表示されたときに付与される大当り遊技は、大当り遊技の終了後が確変状態となる大当り遊技である。以下、
図柄Ａに分類される大当り図柄が第１特図表示装置１２に確定停止表示されたとき
に付与される大当り遊技を「１６Ｒ大当り」という
【００５５】
　１６Ｒ大当りでは、オープニング時間として「１０（秒）」が設定されている。また、１６Ｒ大当りでは、全てのラウンド遊技（図３では、「１Ｒ〜１６Ｒ」と示す）の最大時間として「２５（秒）」が設定されている。また、１６Ｒ大当りでは、ラウンド間のインターバル時間（ラウンド間インターバル）として「２（秒）」が設定されている。また、１６Ｒ大当りでは、エンディング時間として「１０（秒）」が設定されている。因みに、各ラウンド遊技のラウンド遊技時間は、各ラウンド遊技が入球上限個数分の遊技球が入球することにより終了する場合もあることから、それぞれ最大時間となる。
【００５６】
　また、
図柄Ｂに分類される大当り図柄が第１特図表示装置１２に確定停止表示されたとき
に付与される大当り遊技は、大当り遊技の終了後が確変状態となる大当り遊技である
図柄Ｂに分類される大当り図柄が第１特図表示装置１２に確定停止表示されたとき
に付与される大当り遊技を「実質５Ｒ確変大当り」という
【００５７】
　また、
図柄Ｃに分類される大当り図柄が第１特図表示装置１２に確定停止表示されたとき
に付与される大当り遊技は、大当り遊技の終了後が非確変状態となる大当り遊技である
、図柄Ｃに分類される大当り図柄が第１特図表示装置１２に確定停止表示されたとき
に付与される大当り遊技を「実質５Ｒ非確変大当り」という
【００５８】
　実質５Ｒ確変大当り及び実質５Ｒ非確変大当りでは、オープニング時間として「１０（秒）」が設定されている。また、実質５Ｒ確変大当り及び実質５Ｒ非確変大当りでは、１回目〜５回目のラウンド遊技（図３では、「１Ｒ〜５Ｒ」と示す）の最大時間として「２５（秒）」が設定されている。また、実質５Ｒ確変大当り及び実質５Ｒ非確変大当りでは、６回目〜１６回目のラウンド遊技（図３では、「６Ｒ〜１６Ｒ」と示す）の最大時間として「０．０４（秒）」が設定されている。また、実質５Ｒ確変大当り及び実質５Ｒ非確変大当りでは、ラウンド間のインターバル時間（ラウンド間インターバル）として「２（秒）」が設定されている。また、実質５Ｒ確変大当り及び実質５Ｒ非確変大当りでは、エンディング時間として「１０（秒）」が設定されている。因みに、各ラウンド遊技のラウンド遊技時間は、各ラウンド遊技が入球上限個数分の遊技球が入球することにより終了する場合もあることから、それぞれ最大時間となる。
【００５９】
　このように、
１６Ｒ大当りと、実質５Ｒ確変大当りや実質５Ｒ非確変大当りでは、６回目のラウンド遊技が開始するまでの大入賞口２３の開放態様は同一
１６Ｒ大当りと、実質５Ｒ確変大当りや実質５Ｒ非確変大当りでは、６回目のラウンド遊技からの大入賞口２３の開放態様が異なる
実質５Ｒ確変大当りと実質５Ｒ非確変大当りでは、大当り遊技中の大入賞口２３の開放態様が同一である
【００６０】
　また、実質５Ｒ確変大当り及び実質５Ｒ非確変大当りの６回目〜１６回目のラウンド遊技におけるラウンド遊技時間（０．０４（秒））は、１回のラウンド遊技において、大入賞口２３に入球する遊技球の個数が、入球上限個数（９球）を満たさないような時間となっている。因みに、パチンコ遊技機１０では、１分間あたりの遊技球の発射個数が約「１００球」に設定されているので、遊技球を１球発射させるために要する時間は、「０．６（秒）」となる。すなわち、実質５Ｒ確変大当り及び実質５Ｒ非確変大当りの６回目〜１６回目のラウンド遊技において、ラウンド遊技時間（０．０４（秒））内に、１球の遊技球でさえ入球させるのは困難である。
【００６１】
　よって、１６Ｒ大当りと、実質５Ｒ確変大当り及び実質５Ｒ非確変大当りを比較した場合、規定ラウンド数が同じであるものの、大当り遊技中に賞球として獲得できる遊技球の個数が異なる。すなわち、本実施形態のパチンコ遊技機１０において、
大当り遊技中に賞球として獲得できる遊技球の個数が多い１６Ｒ大当りは、実質５Ｒ確変大当りや実質５Ｒ非確変大当りよりも遊技者にとって有利度の高い大当りといえる
【００６２】
　また、
実質５Ｒ確変大当りと実質５Ｒ非確変大当りを比較した場合、大当り遊技中の大入賞口２３の開放態様が同じである一方、大当り遊技終了後に確変状態となるか否かが異なる
「【０１３９】
　図１１には、各点灯パターンＴＰ１〜ＴＰ３１に基づき第１特図表示装置１２に特図が確定停止表示された際の特図の表示態様（点灯態様）を示している。なお、図１１では、点灯している第１特図発光部１２ａ〜１２ｈを斜線で示す。
【０１４０】
　例えば、点灯パターンＴＰ２１に基づき第１特図表示装置１２に特図が確定停止表示される場合、上左位置、上右位置、下右位置及び右上位置の第１特図発光部１２ｃ，１２ｅ，１２ｆ，１２ｇが点灯し、その他の第１特図発光部１２ａ，１２ｂ，１２ｄ，１２ｈが消灯する態様（表示態様）の特図が確定停止表示される。
【０１４１】
　また、第１特図表示装置１２にはずれ図柄が確定停止表示される場合には、下段において最も第２特図表示装置１３に近接する位置となる右下位置の第１特図発光部１２ｈのみが点灯する態様の特図が確定停止表示される。」
イ　刊行物２の図面には次の事項が記載されている。 
（ア）上記【０１３９】〜【０１４１】の記載を参酌すると、図１１からは、「第１特図表示装置１２に確定停止表示されたのが図柄Ｂである場合に選択されうる点灯パターン「ＴＰ１９」では第１特図発光部１２ａ、
１２ｃ
１２ｂ
１２ｃ
１２ｂ
ウ　上記アの記載事項及び上記イの図面認定事項から、刊行物２には、以下の事項が記載されていると認められる。
（ア）上記【００５２】〜【００６２】の記載から、刊行物２には「第１特図表示装置１２に確定停止表示される大当り図柄には図柄Ａ、Ｂ、Ｃの３種類があり、図柄Ｂが確定表示されたときに付与される大当たり遊技である「実質５Ｒ確変大当り」と、図柄Ｃが確定表示されたときに付与される大当たり遊技である「実質５Ｒ非確変大当り」とは、大入賞口２３の開放態様は同一であって、大当たり遊技後が確変状態となるか非確変状態となるかが相違し、これら「実質５Ｒ確変大当り」及び「実質５Ｒ非確変大当り」よりも、図柄Ａが確定表示されたときに付与される大当たり遊技である「１６Ｒ大当り」は、大入賞口２３の開放態様が異なることにより、大当り遊技中に賞球として獲得できる遊技球の個数が多く遊技者にとって有利度の高い大当りである」ことが記載されているといえる。
（イ）上記認定事項イ（ア）、ウ（ア）から、以下のａ．〜ｅ．の事項を導くことができる
ａ．図柄Ｂと図柄Ｃとは、上記ウ（ア）で認定したとおり、それぞれ大入賞口２３の開放態様が同一であって、大当たり遊技後が確変状態となるか非確変状態となるかが相違する、「実質５Ｒ確変大当り」及び「実質５Ｒ非確変大当り」なる各大当り遊技に対応して確定停止表示される特別図柄（大当たり図柄）である。
ｂ．図柄Ｂの点灯パターン「ＴＰ１９」と図柄Ｃの点灯パターン「ＴＰ３０」とは、第１特図発光部１２ａ、１２ｄ、１２ｆ、１２ｈが共通して点灯し、両者間で共通しない点灯部は第１特図発光部１２ｃと１２ｂである。
ｃ．図柄Ｂの点灯パターン「ＴＰ２２」と図柄Ｃの点灯パターン「ＴＰ２４」とは、第１特図発光部１２ｄ、１２ｆ、１２ｈが共通して点灯し、両者間で共通しない点灯部は第１特図発光部１２ｃと１２ｂである。
ｄ．前記ｂ．、ｃ．から、図柄Ｂの「ＴＰ１９」及び図柄Ｃの「ＴＰ３０」の組と、図柄Ｂの「ＴＰ２２」及び図柄Ｃの「ＴＰ２４」の組とは、共に、共通して点灯する点灯部を有している。
ｅ．前記ｂ．、ｃ．から、図柄Ｂの「ＴＰ１９」及び図柄Ｃの「ＴＰ３０」の組と、図柄Ｂの「ＴＰ２２」及び図柄Ｃの「ＴＰ２４」の組とは、各組内で共通しない点灯部が第１特図発光部１２ｃと１２ｂである点で共通する。
ｆ．前記ａ．〜ｅ．から、刊行物２には「大当り時の大入賞口開放状態が同じで、大当り遊技後に確変状態に制御されるか否かのみ相違する「実質５Ｒ確変大当り」・「実質５Ｒ非確変大当り」の２つの大当り遊技（有利状態）に対応して確定停止表示される特別図柄の発光部材の点灯パターンのうち、「実質５Ｒ確変大当り」（図柄Ｂ）の点灯パターン「ＴＰ１９」、「ＴＰ２２」のそれぞれと、「実質５Ｒ非確変大当り」（図柄Ｃ）の点灯パターン「ＴＰ３０」、「ＴＰ２４」のそれぞれとの間で、４つまたは３つの点灯部が共通して点灯される」ことが記載されているといえる。
ｇ．また、前記ａ．〜ｅ．から、刊行物２には「大当り時の大入賞口開放状態が同じで、大当り遊技後に確変状態に制御されるか否かのみ相違する「実質５Ｒ確変大当り」に対応して確定停止表示される特別図柄の発光部材の点灯パターンである「ＴＰ１９」及び「ＴＰ２２」、「実質５Ｒ非確変大当り」の２つの大当り遊技（有利状態）に対応して確定停止表示される特別図柄の発光部材の点灯パターンである「ＴＰ３０」及び「ＴＰ２４」のうち、「ＴＰ１９」と「ＴＰ３０」との間、及び「ＴＰ２２」と「ＴＰ２４」との間で、点灯状態が共通しない点灯部が同じ点灯部材である」ことが記載されているといえる。
（４）刊行物３に記載された技術事項
　本願の出願日前に頒布され、上記前置審査における最後の拒絶理由通知で引用された刊行物である特開２０１４−１９３２４６号公報（以下「刊行物３」という。）には、図面と共に次の事項が記載されている（下線は当審にて付した。以下同じ。）。 
ア　刊行物３の明細書には次の事項が記載されている。 
「【００２８】
　普図表示装置２１０´は、普図の表示を行うための表示装置であり、本実施例では７セグメントＬＥＤによって構成する。第１特図表示装置２１２´および第２特図表示装置２１４´は、特図の表示を行うための表示装置であり、本実施例では７セグメントＬＥＤによって構成する。」
「【００６９】
　図５（ａ）は、第１特図表示装置２１２´あるいは第２特図表示装置２１４´において、図柄の変動表示の後、停止表示される特図の停止図柄態様の一例を示した図である。この図５（ａ）には、「特図Ａ」から「特図Ｊ」の１０種類の特図が示されている。図５（ａ）においては、図中の白抜きの部分が消灯するセグメントの場所を示し、黒塗りの部分が点灯するセグメントの場所を示している。
【００７０】
　本実施形態では、特図の停止図柄態様として、６種類の大当り図柄（「特図Ａ」から「特図Ｆ」）が用意されている。「特図Ａ」および「特図Ｂ」は１５ラウンド（Ｒ）特別大当り図柄であり、「特図Ｅ」は２Ｒ大当り図柄（突然確変）である。これらの図柄（特図Ａ，Ｂ，Ｅ）が停止表示されるとその後、制御状態は特図高確率普図高確率状態になる。「特図Ｃ」および「特図Ｄ」は１５Ｒ大当り図柄（１５Ｒ通常大当り）である。特図Ｃまたは特図Ｄが停止表示されるとその後、制御状態は特図低確率普図高確率状態になる。「特図Ｆ」は２Ｒ大当り図柄（隠れ確変）である。特図Ｆが停止表示されるとその後、制御状態は特図高確率普図低確率状態になる。
【００７１】
　本実施形態では、大当り遊技中には特図低確率状態へ移行し、特図Ａ、特図Ｂ、特図Ｅ、および特図Ｆに当選した場合には、大当り遊技終了後、次に大当りするまで特図高確率状態が維持される。一方、特図Ｃおよび特図Ｄに当選した場合には、大当り遊技終了後も特図低確率状態のままである。」
イ　刊行物３の図面には次の事項が記載されている。 
　上記【００２８】、【００６９】〜【００７１】の記載事項を参酌すると、図５からは、特図Ａ、Ｂと特図Ｃ、Ｄとで、共に７セグメントＬＥＤの最上部のセグメントが消灯していることを読み取ることができる。
ウ　上記アの記載事項、及びイの認定事項から、刊行物３には「大当たり後に特図高確率状態に制御される「１５Ｒ大当り」に対応する特図Ａ、Ｂと、大当たり後に特図高確率状態に制御されない「１５Ｒ大当り」に対応する特図Ｃ、Ｄとでは、共に７セグメントＬＥＤの最上部のセグメントが消灯している点で共通している」ことが記載されているといえる。
（５）対比
ア　刊行物１発明の構成ａの「複数個（本実施形態では７個）の第１特図発光部を有する第１特別図柄表示装置１２ａ」、「該表示装置１２ａに大当り図柄が確定停止表示された場合、遊技者には、大当り遊技が付与される」、「パチンコ遊技機」は、それぞれ、本件補正発明の構成Ａの「可変表示を行い表示結果を導出表示する可変表示手段」、「可変表示手段に導出表示された表示結果にもとづいて、遊技者にとって有利な有利状態に制御可能」であること、「遊技機」に相当するといえる。
　よって、前記構成ａの「複数個（本実施形態では７個）の第１特図発光部を有する第１特別図柄表示装置１２ａが配設され、該表示装置１２ａに大当り図柄が確定停止表示された場合、遊技者には、大当り遊技が付与される、パチンコ遊技機」は、前記構成Ａの「可変表示を行い表示結果を導出表示する可変表示手段を備え、該可変表示手段に導出表示された表示結果にもとづいて、遊技者にとって有利な有利状態に制御可能な遊技機」に相当する。
イ　刊行物１発明の構成ｂの「遊技者により操作可能な演出ボタン７０」が本件補正発明の構成Ｂの「遊技者が操作可能な操作手段」に相当することは明らかである。
ウ　刊行物１発明の構成ｄの「第１特別図柄表示装置１２ａに確定停止表示させる特図（最終停止図柄）として大当り図柄を決定」すること、「決定した大当り図柄から大当り遊技の種類を特定する」ことは、それぞれ、本件補正発明の構成Ｄの「前記有利状態に制御するか否か・・・を決定する」こと、「前記有利状態の種別を決定する」こと、に相当するといえる。
　よって、前記構成ｄの「第１特別図柄表示装置１２ａに確定停止表示させる特図（最終停止図柄）として大当り図柄を決定し、決定した大当り図柄から大当り遊技の種類を特定する、主制御用ＣＰＵ３０ａ」の機能は、前記構成Ｄの「前記有利状態に制御するか否かと、前記有利状態の種別を決定する決定手段」の機能に相当する。
エ　刊行物１発明の構成ｅの「主制御基板３０の主制御用ＣＰＵ３０ａ」、「１５Ｒ確変大当りが特定された場合」、「大当り遊技の終了後に次回の大当り遊技が付与されるまで」、「確変状態」は、それぞれ、本件補正発明の構成Ｅの「前記決定手段」、「第１有利状態に決定された場合」、「前記有利状態として前記第１有利状態に制御した後」、「前記有利状態に制御される確率が向上する高確率状態」に相当する。
　よって、前記構成ｅの「主制御基板３０の主制御用ＣＰＵ３０ａからの特図指定コマンドにより１５Ｒ確変大当りが特定された場合には、１５Ｒ確変大当りの大当り遊技の終了後に次回の大当り遊技が付与されるまで確変状態が付与され、確変状態に制御可能であ」ることは、前記構成Ｅの「前記決定手段により第１有利状態に決定された場合には、前記有利状態として前記第１有利状態に制御した後に前記有利状態に制御される確率が向上する高確率状態に制御可能であ」ることに相当する。
オ　刊行物１発明の構成ｆの「第２・第３の１０Ｒ確変大当り」、「第２・第３の１０Ｒ確変大当りの大当り遊技の終了後」は、それぞれ、本件補正発明の構成Ｆの「第２有利状態」、「前記第２有利状態に制御した後」に相当する。
　また、上記構成ｅの「１５Ｒ確変大当り」と前記構成ｆの「第２・第３の１０Ｒ確変大当り」とは、大当りのラウンド数において相違し、ここでの「大当りのラウンド数」は「獲得可能な遊技価値」に相当する。このことは、前記構成Ｆの「第２有利状態」が「前記有利状態として遊技者が獲得可能な遊技価値の大きさが前記第１有利状態とは異なる」点に相当するといえる。
　よって、前記構成ｆの「主制御基板３０の主制御用ＣＰＵ３０ａからの特図指定コマンドにより第２・第３の１０Ｒ確変大当りが特定された場合には、第２・第３の１０Ｒ確変大当りの大当り遊技の終了後に確変状態が付与され、次回の大当り遊技が付与されるまで確変状態に制御可能であ」ることは、前記構成Ｆの「前記決定手段により第２有利状態に決定された場合には、前記有利状態として遊技者が獲得可能な遊技価値の大きさが前記第１有利状態とは異なる前記第２有利状態に制御した後に前記高確率状態に制御可能であ」ることに相当する。
カ　刊行物１発明の構成ｇの「第２・第３の１０Ｒ非確変大当り」、「第２・第３の１０Ｒ非確変大当りの大当り遊技の終了後」、「確変状態に制御しない」ことは、それぞれ、本件補正発明の構成Ｇの「第３有利状態」、「前記第３有利状態に制御した後」、「有利状態に制御される確率が向上しない低確率状態に制御する」ことに相当する。
　また、上記構成ｆの「第２・第３の１０Ｒ確変大当り」と前記構成ｇの「第２・第３の１０Ｒ非確変大当り」とは、共に大当りのラウンド数が１０ラウンドで等しく、ここでの「大当りのラウンド数」が前記構成Ｇの「獲得可能な遊技価値」に相当することは上記オで説示したとおりである。このことは、前記構成Ｇの「第３有利状態」が「前記有利状態として遊技者が獲得可能な遊技価値の大きさが前記第２有利状態と同等である」点に相当するといえる。
　よって、前記構成ｇの「主制御基板３０の主制御用ＣＰＵ３０ａからの特図指定コマンドにより第２・第３の１０Ｒ非確変大当りが特定された場合には、第２・第３の１０Ｒ非確変大当りの大当り遊技の終了後に確変状態が付与されず、確変状態に制御しない」ことは、前記構成Ｇの「前記決定手段により第３有利状態に決定された場合には、前記有利状態として遊技者が獲得可能な遊技価値の大きさが前記第２有利状態と同等である前記第３有利状態に制御した後に前記有利状態に制御される確率が向上しない低確率状態に制御する」ことに相当し、前記構成ｅ〜ｇからなる「主制御用ＣＰＵ３０ａ」の機能は、前記構成Ｅ〜Ｇからなる「遊技状態制御手段」の機能に相当するといえる。
キ　刊行物１発明の構成ｈの「演出表示装置１１に飾図［３３３］と［７７７］の何れかの大当り図柄を確定停止表示する」演出は、本件補正発明の構成Ｈの「特定演出」に相当する。
　よって、前記構成ｈの「１５Ｒ確変大当りの場合には、演出表示装置１１に飾図［３３３］と［７７７］の何れかの大当り図柄を確定停止表示する」ことは、前記構成Ｈの「前記決定手段により前記第１有利状態に決定された場合に特定演出を実行する」ことに相当する。
ク　刊行物１発明の構成ｉの「第２・第３の１０Ｒ確変大当りの場合と、第２・第３の１０Ｒ非確変大当りとの場合」、「演出表示装置１１に飾図［１１１］、［２２２］、［４４４］、［５５５］及び［６６６］のいずれかの大当り図柄を確定停止表示する」は、それぞれ、本件補正発明の構成Ｉの「前記決定手段により前記第２有利状態に決定された場合と前記第３有利状態に決定された場合」、「演出」に相当する。
　そして、前記構成ｉの前記各場合において、「演出表示装置１１に飾図［１１１］、［２２２］、［４４４］、［５５５］及び［６６６］のいずれかの大当り図柄を確定停止表示する」演出を実行する点が共通することは、前記構成Ｉの「前記第２有利状態に決定された場合と前記第３有利状態に決定された場合とにおいて共通の演出を実行する」ことに相当するといえる。
　よって、前記構成ｉの「第２・第３の１０Ｒ確変大当りの場合と、第２・第３の１０Ｒ非確変大当りとの場合には、演出表示装置１１に飾図［１１１］、［２２２］、［４４４］、［５５５］及び［６６６］のいずれかの大当り図柄を確定停止表示する、演出制御手段」の機能は、前記構成Ｉの「前記決定手段により前記第２有利状態に決定された場合と前記第３有利状態に決定された場合とにおいて共通の演出を実行する演出実行手段」の機能に相当する。
ケ　刊行物１発明の構成ｋの「大当り図柄」、「確定停止表示」はそれぞれ本件補正発明の「表示結果」、「導出表示」に相当する。
　また、前記構成ｋの「大当り図柄」が「何れの大当りが付与されるかを決定する特図１の種類毎に分類され」ていることは、前記構成Ｋの「表示結果」が「有利状態の種別に応じ」たものであることに相当するといえる。
　よって、前記構成ｋの「第１特別図柄表示装置１２ａには、何れの大当りが付与されるかを決定づける特図１の種類毎に分類された、大当り図柄が確定停止表示され」ることは、前記構成Ｋの「前記可変表示手段には、前記有利状態の種別に応じた表示結果が導出表示され」ることに相当する。
コ　刊行物１発明の構成ｌの、「１５Ｒ確変大当りに対応する図柄Ａに」「振分けられ」る「大当り図柄」としての「１０種類」、「第２の１０Ｒ確変大当りに対応する図柄Ｅ」に振り分けられる大当り図柄としての「１４種類」及び「第３の１０Ｒ確変大当りに対応する図柄Ｆ」に振り分けられる大当り図柄としての「１３種類」、「第２の１０Ｒ非確変大当りに対応する図柄Ｉ」に振り分けられる大当り図柄としての「１１種類」及び「第３の１０Ｒ非確変大当りに対応する図柄Ｊ」に振り分けられる大当り図柄としての「２２種類」は、それぞれ、本件補正発明の構成Ｌの「前記第１有利状態に対応する表示結果の数」、「前記第２有利状態に対応する表示結果の数」、「前記第３有利状態に対応する表示結果の数」に相当する。
　そして、前記構成ｌにおいて、前記「１５Ｒ確変大当りに対応する図柄Ａに」「振分けられ」る「大当り図柄」としての「１０種類」が、「第２の１０Ｒ確変大当りに対応する図柄Ｅ」に振り分けられる大当り図柄としての「１４種類」及び「第３の１０Ｒ確変大当りに対応する図柄Ｆ」に振り分けられる大当り図柄としての「１３種類」の和（または個々）、「第２の１０Ｒ非確変大当りに対応する図柄Ｉ」に振り分けられる大当り図柄としての「１１種類」及び「第３の１０Ｒ非確変大当りに対応する図柄Ｊ」に振り分けられる大当り図柄としての「２２種類」の和（または個々）の何れと比べても少ないことは、前記構成Ｌの「前記第１有利状態に対応する表示結果の数は、・・・前記第２有利状態に対応する表示結果の数、および・・・前記第３有利状態に対応する表示結果の数よりも少な」いことに相当するといえる。
　よって、前記構成ｌの「第１特別図柄表示装置１２ａに確定停止表示される大当り図柄のうち、１５Ｒ確変大当りに対応する図柄Ａには１０種類の大当り図柄が振分けられ、第２の１０Ｒ確変大当りに対応する図柄Ｅには１４種類の、第３の１０Ｒ確変大当りに対応する図柄Ｆに対しては１３種類の大当り図柄が振分けられ、第２の１０Ｒ非確変大当りに対応する図柄Ｉには１１種類の、第３の１０Ｒ非確変大当りに対応する図柄Ｊには２２種類の大当り図柄が振り分けられる」ことは、前記構成Ｌの「前記可変表示手段に導出表示される前記第１有利状態に対応する表示結果の数は、前記可変表示手段に導出表示される前記第２有利状態に対応する表示結果の数、および前記可変表示手段に導出表示される前記第３有利状態に対応する表示結果の数よりも少な」いことに相当するといえる。
サ　刊行物１発明の構成ｎの「第１特別図柄表示装置１２ａが、複数個（本実施形態では７個）の第１特図発光部からなる」点は、本件補正発明の「前記可変表示手段は、複数の発光部材が組み合わされて構成され」ることに相当することが明らかであるといえる。
シ　刊行物１発明の構成ｏの「「第２・第３の１０Ｒ確変大当りの場合と、第２・第３の１０Ｒ非確変大当りの場合と」は、上記オ、カの認定事項も考慮すると、本件補正発明の構成Ｏの「前記決定手段により前記第２有利状態に決定された場合と、前記決定手段により前記第３有利状態に決定された場合と」に相当する。
　よって、前記構成ｏと前記構成Ｏとは、「前記決定手段により前記第２有利状態に決定された場合と、前記決定手段により前記第３有利状態に決定された場合とで、前記複数の発光部材が」それぞれの「発光態様にて発光され」る点で共通するといえる。
ス　刊行物１発明の構成ｐの「第２・第３の１０Ｒ確変大当りの場合」、「第２・第３の１０Ｒ非確変大当りの場合」は、それぞれ、本件補正発明の「前記決定手段により前記第２有利状態に決定された場合」、「前記決定手段により前記第３有利状態に決定された場合」に相当することが明らかである。
　また、前記構成ｐにおいては、前記各大当りの場合にそれぞれ「複数種類の大当り図柄」が振り分けられ、「第１特別図柄表示装置１２ａの複数個の第１特図発光部は、前記各大当り図柄ごとに異なった発光態様で発光する」のであるから、前記各大当りの場合ごとに少なくとも２つの発光態様、すなわち発光される発光部材の組合せのパターンが含まれることが明らかであるといえる。
　よって、前記構成ｐと前記構成Ｐとは、「前記決定手段により前記第２有利状態に決定された場合に発光される発光部材の組み合わせ」に「第１パターンおよび第２パターンと」があり、「前記決定手段により前記第３有利状態に決定された場合に発光される発光部材の組み合わせ」には「第３パターンおよび第４パターンとが」ある点で共通するといえる。
セ　上記ア〜スによれば、本件補正発明と刊行物１発明とは、下記（ア）の点で一致し、下記（イ）〜（エ）の点で相違する。 
（ア）一致点
「Ａ　可変表示を行い表示結果を導出表示する可変表示手段を備え、該可変表示手段に導出表示された表示結果にもとづいて、遊技者にとって有利な有利状態に制御可能な遊技機であって、
Ｂ　遊技者が操作可能な操作手段と、
Ｄ　前記有利状態に制御するか否かと、前記有利状態の種別を決定する決定手段と、
Ｅ　前記決定手段により第１有利状態に決定された場合には、前記有利状態として前記第１有利状態に制御した後に前記有利状態に制御される確率が向上する高確率状態に制御可能であり、
Ｆ　前記決定手段により第２有利状態に決定された場合には、前記有利状態として遊技者が獲得可能な遊技価値の大きさが前記第１有利状態とは異なる前記第２有利状態に制御した後に前記高確率状態に制御可能であり、
Ｇ　前記決定手段により第３有利状態に決定された場合には、前記有利状態として遊技者が獲得可能な遊技価値の大きさが前記第２有利状態と同等である前記第３有利状態に制御した後に前記有利状態に制御される確率が向上しない低確率状態に制御する遊技状態制御手段と、
Ｈ　前記決定手段により前記第１有利状態に決定された場合に特定演出を実行するとともに、
Ｉ　前記決定手段により前記第２有利状態に決定された場合と前記第３有利状態に決定された場合とにおいて共通の演出を実行する演出実行手段とを備え、
Ｋ　前記可変表示手段には、前記有利状態の種別に応じた表示結果が導出表示され、
Ｌ　前記可変表示手段に導出表示される前記第１有利状態に対応する表示結果の数は、前記可変表示手段に導出表示される前記第２有利状態に対応する表示結果の数、および前記可変表示手段に導出表示される前記第３有利状態に対応する表示結果の数よりも少なく、
Ｎ　前記可変表示手段は、複数の発光部材が組み合わされて構成され、
Ｏ’　前記決定手段により前記第２有利状態に決定された場合と、前記決定手段により前記第３有利状態に決定された場合とで、前記複数の発光部材がそれぞれの発光態様にて発光され、
Ｐ’　前記決定手段により前記第２有利状態に決定された場合に発光される発光部材の組み合わせに第１パターンおよび第２パターンとがあり、前記決定手段により前記第３有利状態に決定された場合に発光される発光部材の組み合わせには第３パターンおよび第４パターンとがある、
Ｑ　ことを特徴とする遊技機。」
（イ）相違点１
　本件補正発明は、「遊技者の操作の検出を有効とする有効期間が開始されるより前に、前記操作手段を模した前記所定の事前画像を、前記促進画像よりも薄く表示させた後に徐々に濃くなるよう変化させ」る「所定の事前画像を経て」、「遊技者の操作を促す促進画像を表示させる促進画像表示制御手段」を備えるのに対し、刊行物１発明はそのような構成を備えない点。（構成Ｃ、Ｊ、Ｍ）
（ウ）相違点２
　本件補正発明は、可変表示手段について、前記決定手段により前記第２有利状態に決定された場合と、前記決定手段により前記第３有利状態に決定された場合とで、前記複数の発光部材が発光される発光態様が、「複数の発光部材のうち少なくとも一部の発光部材が共通の発光態様」であるのに対し、刊行物１発明は、前記「複数の発光部材」に相当する「複数個（本実施形態では７個）の第１特図発光部」の各大当り種別に応じた発光態様が不明である点。（構成Ｏ）
（エ）相違点３
　本件補正発明は、可変表示手段について、前記決定手段により前記第２有利状態に決定された場合に発光される発光部材の組み合わせである第１パターンおよび第２パターンと、前記決定手段により前記第３有利状態に決定された場合に発光される発光部材の組み合わせである第３パターンおよび第４パターンとが、「前記第１パターンおよび前記第３パターンにて発光態様が共通しない発光部材と、前記第２パターンおよび前記第４パターンにて発光態様が共通しない発光部材とが同じ発光部材である」との関係を有するのに対し、刊行物１発明は、発光態様がそのような関係にある、発光される発光部材の組み合わせである第１〜第４パターンを有するか不明である点。（構成Ｐ）
（６）当審の判断
ア　相違点１について
　パチンコ遊技機の分野において、遊技者にボタンなどの操作手段を操作させる演出（いわゆる周知の「ボタン演出」）に際し、遊技者に当該操作を促すための、例えば操作されるべきボタンなどの操作手段の画像を、操作タイミングに合わせて表示装置上に表示する、周知の操作促進画像の表示演出を行う場合に、該促進画像の表示に先立ち、前記操作タイミングに達する直前に、前記操作促進画像をまず薄く表示した後、次第に濃く明確になるように変化させる演出を行うことは、例えば本願出願日前に公知の刊行物である特開２０１１−１２５５４９号公報（以下「周知引例１」という。）の【００９４】〜【００９７】、【０１００】、図７（【００９５】の「演出ボタン１７の操作が有効になるまでに表示される演出ボタン予告画像として、演出ボタン１７の操作可能開始タイミングである時刻ｔ３以降に液晶表示装置１３の液晶画面上に表示される報知画像（演出ボタン画像）をフェードイン効果によって次第に明確になって表示する動画で表現されたフェードイン画像を用いる。」などの記載参照）や、その他同じく本願出願日前に公知の刊行物である特開２０１４−１１１０４９号公報（以下「周知引例２」という。）、特開２０１４−１１１０５０号公報（以下「周知引例３」という。）、特開２０１４−１３８７０３号公報（以下「周知引例４」という。）にも記載され、また、本願出願日前にインターネットを通じた方法（ｙｏｕｔｕｂｅ）で公開された「実録！緑保留から赤「押せ」ボタンリーチ！ＣＲルパン三世〜消されたルパン〜パチンコ」（関連箇所：０分２４秒〜０分２８秒、媒体タイプ：［ｏｎｌｉｎｅ］、公開年月日：平成２６年４月４日、公開者：「スロパチステーション」、検索日：平成３０年４月２６日、ＵＲＬ：https://www.youtube.com/watch?v=Cq1_9DKk2hc；（以下「周知引例５」という。））なるタイトルの動画にも示されるとおり、本願出願日前において周知の技術である。
　よって、演出ボタン７０を備える刊行物１発明において、該演出ボタン７０の操作タイミング開始前に事前画像としてボタン画像を薄く表示し、それを次第に濃く変化させ、操作タイミング開始とともに促進画像としてボタン画像を表示するようにすることは、前記周知技術を適用することで、当業者が容易に想到し得た事項である。
イ　相違点２について
　上記刊行物２には、上記（３）ウ（イ）ｆ．で認定したとおり、「大当り時の大入賞口開放状態が同じで、大当り遊技後に確変状態に制御されるか否かのみ相違する「実質５Ｒ確変大当り」、「実質５Ｒ非確変大当り」の２つの大当り遊技（有利状態）に対応して確定停止表示される特別図柄に対応する特図表示装置の発光部材の点灯パターンのうち、「実質５Ｒ確変大当り」（図柄Ｂ）の点灯パターン「ＴＰ１９」、「ＴＰ２２」のそれぞれと、「実質５Ｒ非確変大当り」（図柄Ｃ）の点灯パターン「ＴＰ３０」、「ＴＰ２４」のそれぞれとの間で、４つまたは３つの点灯部が共通して点灯される」ことが記載されている。
　また、上記刊行物３には、上記（４）ウで認定したとおり、「大当たり後に特図高確率状態に制御される「１５Ｒ大当り」に対応する特図Ａ、Ｂと、大当たり後に特図高確率状態に制御されない「１５Ｒ大当り」に対応する特図Ｃ、Ｄとでは、共に７セグメントＬＥＤの最上部のセグメントが消灯している点で共通している」ことが記載されている。
　本件補正発明の相違点２に係る構成における「複数の発光部材のうち少なくとも一部の発光部材が共通の発光態様にて発光され」ることが、当該特定事項の導出根拠に関する平成２９年２月１０日付け意見書における請求人の主張（（２）（Ｆ））のとおり、第２有利状態に決定された場合に選択される複数のうち特定の発光態様（パターン）と第３有利状態に決定された場合に選択される複数のうち特定の発光態様（パターン）との間での関係について特定するものと解釈する場合には、前記刊行物２、３何れの記載事項も当該解釈の下での上記相違点２に係る特定事項を満たしているといえる。
　また、仮に本件補正発明の相違点２に係る構成における「複数の発光部材のうち少なくとも一部の発光部材が共通の発光態様にて発光され」ることが、文字通り第２、第３有利状態に係る全ての特図の発光態様について成り立つとの意味であると解釈しても、前記刊行物３の記載事項が当該解釈の下での相違点２に係る特定事項を満たしているといえる。
　そして、遊技結果に応じた特図表示装置の発光パターンは、確定図柄ごとに相違していれば足ることから、格別の意味付けなく設定されることも周知であるし、仮にその視認性に着目するとしても、特図表示装置の発光部材の具体的な配置がどのようなものであれ、異なる発光パターンの間で共通のまたは相違する発光態様を示す発光部材の多寡やその配置に応じて視認による該各パターン間の区別の困難性に影響を与え得る点で変わりはないから、刊行物１発明の特別図柄表示装置の発光態様に、刊行物２、３に記載された特図表示装置の発光部材の発光態様に関する技術事項を適用することに当業者にとって格別の阻害要因も存しない。
　さらに、本件補正発明により奏される効果は、当業者が、刊行物１発明及び刊行物２及び３に記載された技術事項から予測し得た範囲内のものであって、格別のものではない。
 　よって、刊行物１発明に前記刊行物２、３に記載された技術事項を適用して相違点２の構成とすることは当業者が容易に想到し得たことである。
ウ　相違点３について
　上記刊行物２には、上記（３）ウ（イ）ｇ．で認定したとおり、「大当り時の大入賞口開放状態が同じで、大当り遊技後に確変状態に制御されるか否かのみ相違する「実質５Ｒ確変大当り」に対応して確定停止表示される特別図柄の発光部材の点灯パターンである「ＴＰ１９」及び「ＴＰ２２」、「実質５Ｒ非確変大当り」の２つの大当り遊技（有利状態）に対応して確定停止表示される特別図柄の発光部材の点灯パターンである「ＴＰ３０」及び「ＴＰ２４」のうち、「ＴＰ１９」と「ＴＰ３０」との間、及び「ＴＰ２２」と「ＴＰ２４」との間で、点灯状態が共通しない点灯部が同じ点灯部材である」ことが記載されているといえ、これは上記相違点３の構成に相当する。
　そして、動機付け及び阻害要因については上記イで説示したものと同様である。
　また、本件補正発明により奏される効果は、当業者が、刊行物１発明及び刊行物２に記載された技術事項から予測し得た範囲内のものであって、格別のものではない。
　よって、刊行物１発明に前記刊行物２に記載された技術事項を適用して相違点３の構成とすることは当業者が容易に想到し得たことである。
エ　請求人の主張について
（ア）請求人は平成２９年１１月２日付け意見書において、概略以下のとおり主張している。
「本願の補正後の請求項１に係る発明と引用文献に記載された発明とを比較すると、引用文献１−６に記載された発明を用いたとしても、少なくとも、上記の（ｊ）（当審註：上記構成Ｍに該当。），（ｌ）（当審註：上記構成Ｐに該当。）の構成要素がありません。
　すなわち、本願発明では、上記の（ｊ）の構成要素を備えることによって、・・・操作手段の操作の有効期間の到来を遊技者に段階的に認識させることができ、円滑に遊技の参加を促すことができます。
　これに対して、引用文献１−６には、遊技者の操作の検出を有効とする有効期間が開始されるより前に、操作手段を模した所定の事前画像を、促進画像よりも薄く表示させた後に徐々に濃くなるよう変化させるという上記の（ｊ）のように構成したりすることは記載も示唆もされていません。
・・・
　従って、記載も示唆もないのですから、引用文献１−６では、操作手段の操作の有効期間の到来を遊技者に段階的に認識させることができ、円滑に遊技の参加を促すことができるようにするという技術思想はないといえます。
　また、本願発明では、上記の（ｌ）の構成要素を備えることによって、・・・より効果的に第２有利状態および第３有利状態のうちいずれの有利状態となるのかの遊技者による判別を困難にすることができ、ひいては第２有利状態および第３有利状態に決定された場合に実行される共通の演出の演出効果を高めることができます。
　これに対して、引用文献１−６には、第２有利状態に決定された場合と、決定手段により第３有利状態に決定された場合とで、複数の発光部材のうち少なくとも一部の発光部材が共通の発光態様にて発光され、第２有利状態に決定された場合に発光される発光部材の組み合わせである第１パターンおよび第２パターンと、第３有利状態に決定された場合に発光される発光部材の組み合わせである第３パターンおよび第４パターンとのうち、第１
パターンおよび第３パターンにて発光態様が共通しない発光部材と、第２パターンおよび第４パターンにて発光態様が共通しない発光部材とが同じ発光部材であるという上記の（ｌ）のように構成したりすることは記載も示唆もされていません。」
（イ）しかし、構成Ｍについては上記相違点１についての検討として上記（６）アで、構成Ｐについては上記相違点３についての検討として上記（６）ウで、それぞれ説示したとおり、何れも本願出願日前公知文献に記載された技術事項または本願出願日における周知技術を刊行物１発明に適用することにより当業者が容易に発明することができたものである。
　よって、上記請求人の主張は何れも採用できない。
　
オ　小括
　したがって、上記ア〜エにおいて検討したように、本件補正発明は、刊行物１発明、刊行物２及び刊行物３に記載された技術事項、並びに周知の技術事項に基づいて、当業者が容易に発明をすることができたものであるから、特許法第２９条第２項の規定により、特許出願の際独立して特許を受けることができない。 
４．むすび 
　上記３．において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について 
１．本願発明 
　本件補正は、上記のとおり却下されたので、本願の請求項１に係る発明は、平成２９年７月１４日付けの手続補正書により補正された特許請求の範囲の請求項１に記載されたとおりのものであるところ、その請求項１に係る発明（以下、「本願発明」という。）は、上記「第２［理由］１．本件補正について」にも本件補正前の請求項１として記載した、次のとおりのものである（Ａ〜Ｑの付番は分説のため当審にて付与した。上記本件補正発明と共通の付番は、両発明間で実質的に共通する構成に対応する。）
「Ａ　可変表示を行い表示結果を導出表示する可変表示手段を備え、該可変表示手段に導出表示された表示結果にもとづいて、遊技者にとって有利な有利状態に制御可能な遊技機であって、
Ｂ　遊技者が操作可能な操作手段と、
Ｃ　遊技者の操作を促す促進画像を表示させる促進画像表示制御手段と、
Ｄ　前記有利状態に制御するか否かと、前記有利状態の種別を決定する決定手段と、
Ｅ　前記決定手段により第１有利状態に決定された場合には、前記有利状態として前記第１有利状態に制御した後に前記有利状態に制御される確率が向上する高確率状態に制御可能であり、
Ｆ　前記決定手段により第２有利状態に決定された場合には、前記有利状態として遊技者が獲得可能な遊技価値の大きさが前記第１有利状態とは異なる前記第２有利状態に制御した後に前記高確率状態に制御可能であり、
Ｇ　前記決定手段により第３有利状態に決定された場合には、前記有利状態として遊技者が獲得可能な遊技価値の大きさが前記第２有利状態と同等である前記第３有利状態に制御した後に前記有利状態に制御される確率が向上しない低確率状態に制御する遊技状態制御手段と、
Ｈ　前記決定手段により前記第１有利状態に決定された場合に特定演出を実行するとともに、
Ｉ　前記決定手段により前記第２有利状態に決定された場合と前記第３有利状態に決定された場合とにおいて共通の演出を実行する演出実行手段とを備え、
Ｊ　前記促進画像表示制御手段は、所定の事前画像を経て前記促進画像を表示させ、
Ｋ　前記可変表示手段には、前記有利状態の種別に応じた表示結果が導出表示され、
Ｌ　前記可変表示手段に導出表示される前記第１有利状態に対応する表示結果の数は、前記可変表示手段に導出表示される前記第２有利状態に対応する表示結果の数、および前記可変表示手段に導出表示される前記第３有利状態に対応する表示結果の数よりも少なく、
Ｍ’前記促進画像表示制御手段は、遊技者の操作の検出を有効とする有効期間が開始されるより前に、前記操作手段を模した前記所定の事前画像を、前記促進画像よりも薄く表示させ、
Ｎ　前記可変表示手段は、複数の発光部材が組み合わされて構成されており、
Ｏ　前記決定手段により前記第２有利状態に決定された場合と、前記決定手段により前記第３有利状態に決定された場合とで、前記複数の発光部材のうち少なくとも一部の発光部材が共通の発光態様にて発光される
Ｑ　ことを特徴とする遊技機。」　 
２．前置審査における拒理の理由
ア　前置審査における拒絶の理由（最後の拒絶理由）は、概略、本願発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない、というものである。
イ　刊行物
　引用文献１．特開２０１３−１０２８７３号公報（当審註：上記刊行物１と同じ）
　引用文献２．特開２０１１−２３４７５５号公報
　引用文献３．特開２０１３−１８８３０６号公報
　引用文献４．特開２０１３−２３６８８０号公報
　引用文献５．特開２０１３−２４８０４０号公報（当審註：上記刊行物２と同じ）
　引用文献６．特開２０１４−１９３２４６号公報（当審註：上記刊行物３と同じ）
３．刊行物 
　前置審査における拒絶の理由に引用された刊行物１〜３の記載事項は、上記第２の３．（２）〜（４）に記載したとおりである。 
４．対比・判断 
（１）本願発明は、実質的に、本件補正発明の発明特定事項から構成Ｍの一部及び構成Ｐのすべてに該当する、上記第２の２．（１）の下線部の構成を省いたものである。
　そうすると、本願発明と刊行物１発明とは、下記ア、イの点で相違する。 
ア　相違点１’
　本願発明は、遊技者の操作の検出を有効とする有効期間が開始されるより前に、前記操作手段を模した前記所定の事前画像を、前記促進画像よりも薄く表示させる促進画像表示制御手段」を備えるのに対し、刊行物１発明はそのような構成を備えない点。（構成Ｃ、Ｊ、Ｍ’）
イ　相違点２
　上記第２の３．（５）セ（ウ）に示した相違点２と同じ。
（２）相違点について
ア　相違点１’について
　パチンコ遊技機の分野において、遊技者にボタンなどの操作手段を操作させる演出（いわゆる周知の「ボタン演出」）において、遊技者に当該操作を促すための、例えば操作されるべきボタンなどの操作手段の画像を、操作タイミングに合わせて表示装置上に表示する、周知の操作促進画像の表示演出を行うにあたり、該促進画像の表示に先立ち、前記操作タイミングに達する前に、前記操作促進画像をまず薄く表示するようにすることは、上記前置審査における拒理の理由において引用文献２〜４として引用された、何れも本願出願日前公知の刊行物である特開２０１１−２３４７５５号公報、特開２０１３−１８８３０６号公報、及び特開２０１３−２３６８８０号公報に記載され、また、上記周知引例１〜５にもみられるとおり、周知の技術である。
　よって、演出ボタン７０を備える刊行物１発明において、該演出ボタン７０の操作タイミング開始前に事前画像としてボタン画像を薄く表示するようにすることは、前記周知技術を適用することで、当業者が容易に想到し得た事項である。
イ　相違点２について
　当該相違点２は上記第２の３．（５）セ（ウ）に示した相違点２と同じであるから、上記第２の３．（６）イに記載したものと同様の理由により、刊行物１発明に、前置審査の拒絶の理由で引用された刊行物である上記刊行物２または３に記載された技術事項を適用して、相違点２の構成とすることは当業者が容易に想到し得たことである。
５．むすび 
　以上のとおり、本願発明は、刊行物１発明、刊行物２及び刊行物３に記載された技術事項、並びに周知の技術事項に基づいて、当業者が容易に発明をすることができたものであるから、特許法第２９条第２項の規定により特許を受けることができない。 
　したがって、本願は拒絶すべきものである。 
　よって、結論のとおり審決する。